(57)【要約】【課題】使用者の手では届かない部分であっても容易にマッサージすることを可能とする手持型マッサージ器の取付ジグおよびこの取付ジグを使用したマッサージ装置を提供する。【解決手段】手持型マッサージ器１を収容することが可能な本体部１０ａを備えるとともに、該本体部１０ａが柔軟性を有している取付ジグ１０の内部に手持型マッサージ器１を出し入れ可能に収容してマッサージ装置３０を構成したことを特徴とする。【選択図】図４
2013126491.tif 000002
【特許請求の範囲】
【請求項１】
手持型マッサージ器を収容することが可能な本体部を備えるとともに、該本体部が柔軟性を有していることを特徴とする手持型マッサージ器の取付ジグ。
【請求項２】
前記本体部は、シート状部材の空気室に空気が導入されることにより膨張して形成されていることを特徴とする請求項１に記載の手持型マッサージ器の取付ジグ。
【請求項３】
前記本体部は、繊維系のクッション材が袋体の内部に収納されることにより構成されているとともに、この袋体に手で持つことのできる耳部が具備されていることを特徴とする請求項１または２に記載の手持型マッサージ器の取付ジグ。
【請求項４】
請求項１〜請求項４のいずれかに記載の取付ジグと手持型マッサージ器とから構成されることを特徴とするマッサージ装置。
【発明の詳細な説明】
【技術分野】
【０００１】
本発明は、手軽に使用することが可能な手持型マッサージ器の取付ジグおよびこの取付ジグを使用したマッサージ装置に関する。
【背景技術】
【０００２】
例えば、治療院、トレーニングセンター、温泉施設などでは固定式で大型のマッサージ器が設置されている。
一方、このような場所に出かけることなく誰でも手軽に使うことのできるマッサージ器の提供が望まれている。
【０００３】
このような要求に答えるため、本出願人により手持型の電気マッサージ器が提供されている。
図９は、このような手持型マッサージ器１を示したものである。
【０００４】
このマッサージ器１は、本体部分２ａの先端部に皮膚などをマッサージする振動発生器３を有し、該振動発生部３を構成する筒体の内部には複数本の刺激針が収容されている。そして、本体部分２ａの裏面側に設けられた手元スイッチ（図８における符号４２）を操作することにより、この振動発生器３を電気的に振動させることができる。
【０００５】
ところで、このような手持型マッサージ器１では、人が手で持ってマッサージできる範囲に限界があるため、使用範囲を広げるための改良が望まれていた。
【発明の概要】
【発明が解決しようとする課題】
【０００６】
本発明は、このような実情に鑑み、使用者の手では届かない部位であっても容易にマッサージすることを可能とする手持型マッサージ器の取付ジグおよびこの取付ジグを使用したマッサージ装置を提供することを目的としている。
【課題を解決するための手段】
【０００７】
上記目的を達成するための本発明に係るマッサージ器の取付ジグは、
手持型マッサージ器を収容することが可能な本体部を備えるとともに、該本体部が柔軟性を有していることを特徴としている。
【０００８】
このような構成によれば、手持型マッサージ器をこのジグ内に装着すれば、取り付けジグをソファーなどに置き、その置いた場所に人が座ったり背中を当てるなどして患部のマッサージを行うことができる。
【０００９】
すなわち、取り付けジグ内に手持型マッサージ器を装着すれば、手を使わずに患部をマッサージすることができる。
ここで、本発明では、前記本体部は、シート状部材の空気室に空気が導入されることにより膨張して形成されていても良い。
【００１０】
このような構成の本体部であっても手軽に収容することができる。
さらに、本発明では、前記本体部は、繊維系のクッション材が袋体の内部に収納されることにより構成されているとともに、この袋体に手で持つことのできる耳部が具備されていても良い。
【００１１】
このような本体部であれば、本体部を手で持って移動することができるので位置調整が必要な場合などに便利である。
本発明に係るマッサージ装置は、上記いずれかの取付ジグと手持型マッサージ器とから構成されることを特徴としている。
【００１２】
このようなマッサージ装置によれば、どこにいても所望とする部位を手軽にマッサージすることができる。
【発明の効果】
【００１３】
本発明に係る手持型マッサージ器の取付ジグによれば、マッサージ器を手で持つ必要がなくなるとともに、マッサージ器の自立姿勢を保持できるので、ジグをソファーなどに挟んで、その上に人が座ることにより患部をマッサージすることができる。
【００１４】
また、シート状部材の空気室に空気を導入して膨張させる場合には嵩が張らないので持ち運びが便利である。
また、繊維系のクッション材が袋体の内部に収容された構成であれば、通気性が良好であり清潔であるとともに、復元性が確保される。
【００１５】
さらに本発明に係るマッサージ装置によれば、手の届かないような部位であっても手軽にマッサージすることができる。
【図面の簡単な説明】
【００１６】
【図１】図１は、本発明の一実施例に係るマッサージ装置で採用された取付ジグの斜視図である。
【図２】図２は、図１に示した取付ジグの上面図である。
【図３】図３は、図１に示した取付ジグの下面図である。
【図４】図４は、本発明の一実施例に係るマッサージ装置において取付ジグのカバー部材を開いた状態で示す斜視図である。
【図５】図５は、図４に示したマッサージ装置において取付ジグのカバー部材を閉じた状態で示す斜視図である。
【図６】図６は、図５に示したマッサージ装置の使用状態の一例を示す図である。
【図７】図７は、図５に示したマッサージ装置の使用状態の他の例を示す図である。
【図８】図８は、本発明の他実施例に係るマッサージ装置の分解斜視図である。
【図９】図９は、本発明に係るマッサージ装置に採用された手持型マッサージ器の一例を示す斜視図である。
【発明を実施するための形態】
【００１７】
以下、図面を参照しながら本発明の好ましい実施例について説明する。
図１ないし図３は本発明の一実施例に係るマッサージ器の取付ジグ１０を示したものである。
【００１８】
この取付ジグ１０は、クッション性に富んだ略円盤状の本体部１０ａを有し、本体部１０ａの外部材は布製の袋体により形成されている。そして、袋体内部に高反発性を有する繊維系のクッション材１４が層状に収納されることで本体部１０ａが円盤状に膨出されている。さらに、その周方向の側面に形成された開口部を閉じるように、ファスナー１２が設置されている。
【００１９】
このように内部がクッション材で膨出して形成された取付ジグ１０は、外方から一部を押圧すれば、その押圧された部分を凹ませることができる。また、その力を解除すれば凹んだ部分を元の状態に復帰させることができる。
【００２０】
また、本体部１０ａには、図９に示した手持型マッサージ器１の形状に略対応した形状の凹部１５が、表側中央部に形成されている。さらに、本体部１０ａの一方の端部に、凹部１５の外方を覆う略矩形状の布状のカバー部材１６が付設され、凹部１５の底面には、図２および図３に示したように長孔１９が形成されている。なお、この長孔１９は、手持型マッサージ器１を収容したときに該マッサージ器１の手元スイッチを外方から操作するための開口として使用される。
【００２１】
上記カバー部材１６の内側面には、面状ファスナー１８ａが付設されている。さらに、カバー部材１６の一端部には丸孔１７が形成されている。この丸孔１７からは、図４および図５に示したように、手持型マッサージ器１の振動発生部３が突出される。一方、取付ジグ１０の本体１０ａには、面状ファスナー１８ａに対向するように面状ファスナー１８ｂが付設されている。
【００２２】
これら面状ファスナー１８ａと面状ファスナー１８ｂとを着脱自在に接合すれば、図５に示したように凹部１５の上面を覆うことができるので、手持型マッサージ器１を移動不能に収容することができる。
【００２３】
さらに、取付ジグ１０における円盤状の本体部１０ａの両側には、一対の耳部２０、２０が具備されている。この耳部２０、２０は本体部１０ａを形成する素材と同一の素材からなり、両端部が閉じることにより環状に形成されている。
【００２４】
図４および図５に示したように、本実施例に係るマッサージ装置３０は、上記の取付ジグ１０に、手持型マッサージ器１が出し入れ自在に収納されることにより構成されている。
【００２５】
このようなマッサージ装置３０によれば、片手だけでは届かなかった背中のような場所を、以下の使用態様を取ることによりマッサージすることが可能になる。
例えば、マッサージ装置３０を図６に示したように椅子３２の背もたれ部にマッサージ装置３０を載置すれば、ここに座ることで背中をマッサージすることが可能になる。なお、稼働を開始するか停止するかは、図８に示される手持型マッサージ器１の背面側に設けられたスイッチ４２をＯＮ、ＯＦＦすれば良い。また、椅子に座ってマッサージしたい部位を若干変更したい場合は、取付ジグ１０耳部２０、２０の両方あるいは片方を手で掴んでいずれかの方向に移動すれば良い。
【００２６】
さらに、マッサージ装置３０を用いて、脚部、足裏などをマッサージすることもできる。その場合、図７に示したように、マッサージ装置３０を床面に置き、その上に脚部を載せれば良い。このとき脚部以外の部分を円盤状の本体部１０ａに保持させることができるので、楽な姿勢でマッサージを行うことができる。なお、振動発生部３の駆動源として電池使用としても良く、あるいは図７に示したように商用電源を用いることもできる。
【００２７】
以上、本発明の一実施例による取付ジグ１０およびこの取付ジグ１０を使用したマッサージ装置３０について説明したが、本発明は上記実施例に何ら限定されない。
例えば、取付ジグとして、図８に示した取付ジグ４０を使用することもできる。この取付ジグ４０は、空気によりシート状部材を膨らませて使用するものであり、運搬時には、空気を抜いた状態で持ち運ぶことができる。
【００２８】
取付ジグ４０は、内部に収容される手持型マッサージ器１の使用時の位置決めを図るため、凹部１５の一方の端部に一対の布体３３、３４が付設されており、一方の布体３３には面状ファスナー３３ａが、他方の布体３４には面状ファスナー３４ｂが付設されている。また、凹部１５の他方の端部には一対の布体３５、３６が突設され、一方の布体３５には面状ファスナー３５ａが付設され、他方の布体３６の表面および裏面には面状ファスナー３６ｂ、３６ｃが、それぞれ付設されている。
【００２９】
さらに、この取付ジグ４０では、凹部１５の内方に位置決め用として、緩衝ブロック体３７が着脱自在に取付られる。この緩衝ブロック３７はスポンジのような柔軟な材質から形成されたもので、緩衝ブロック３７の底面には図示していないものの面状ファスナーが付設されている。そして、この緩衝ブロック３７の底面に設けられた図示しない面状ファスナーが、凹部１５内に設けられた面状ファスナー３８に着脱自在に取付られることで、緩衝ブロック３７が凹部１５内に設置される。この緩衝ブロック３７によりマッサージ器１の本体部分２ａの一段背の低い部分がかさ上げされる。
【００３０】
図８に示した取付ジグ４０のように、内部空間が空気で膨らむタイプの取付ジグ４０では、持ち運びの際の嵩を小さくできるという利点がある。
取付ジグ４０を使用する場合には、先ず内部空間に空気を導入して図８のように全体を膨らませ、次に、緩衝ブロック体３７を凹部１５内の面状ファスナー３８にセットすると良い。
【００３１】
これにより、緩衝ブロック体３７を手持型マッサージ器１の本体部分２ａを受けるための台として使用することが可能となる。このように緩衝ブロック体３７をセットしてから手持型マッサージ器１を凹部１５内に装着し、その振動発生器３を丸孔１９内に配置する。さらに、面状ファスナー３３ａを布体３４の面状ファスナー３４ｂに、面状ファスナー３５ａを布体３６の面状ファスナー３６ｂにそれぞれ着脱自在に接合すれば、手持型マッサージ器１を取付ジグ４０内に収容することができ、マッサージ１が移動することはない。なお、布体３６に設けた他の面状ファスナー３６ｃは、緩衝ブロック３７を待機させたり、予備のファスナーとして使用することができる。
【００３２】
このように空気で膨らむタイプの取付ジグ４０を使用してマッサージ装置を構成した場合であっても、図６に示したようにソファーの角部に挟んで背中をマッサージしたり、あるいは図７に示したように、床に置いて脚部、足裏などをマッサージする場合に使用することができる。
【００３３】
また、耳部２０，２０を手で持つことによってマッサージできるのは勿論である。したがって、本発明に係るマッサージ器の取付ジグおよびこの取付ジグを使用したマッサージ装置によれば、家庭であるいは出先であっても手軽にかつ広い範囲をマッサージすることができる。
【符号の説明】
【００３４】
１        手持型マッサージ器
３        振動発生器
１０      取付ジグ
１０ａ    本体部
１５      凹部
１６      カバー部材
１４      クッション材
２０      耳部
【図１】
2013126491.tif 000003
【図２】
2013126491.tif 000004
【図３】
2013126491.tif 000005
【図４】
2013126491.tif 000006
【図５】
2013126491.tif 000007
【図６】
2013126491.tif 000008
【図７】
2013126491.tif 000009
【図８】
2013126491.tif 000010
【図９】
2013126491.tif 000011